(57)【要約】      （修正有）【課題】ユーザーにおいて使用しやすく、かつ設計しやすい状態にて、締めリングの前後方向の移動間隔を調整し、ひいては芯のガイドパイプの先端から突出する距離を調整し得るノック式シャープペンシルの構成を提供すること。【解決手段】芯１を押圧把持し、かつ芯１と一体となって移動し、前側への移動に伴って周囲の締めリング３による締め付けから開放された段階にて、芯１に対する前記押圧把持を開放する芯咬止チャック２、該芯咬止チャック２に対しノック７による前方への移動を伝達する構造を有するノック式シャープペンシルにおいて、締めリング３の後方において、外側のパイプ状の部材に内側から螺合し、かつ後方のダイヤルスリーブ５と一体に回転することにより、前後方向移動自在であるスライドスリーブ４を設け、該ダイヤルスリーブ５のダイヤル５１を外側筒状部６２の隙間１１より回転させることにより前記課題を達成する。【選択図】          図１
2004223820.tif 000002
【特許請求の範囲】
【請求項１】
芯を押圧把持し、かつ芯と一体となって移動し、前側への移動に伴って周囲の締めリングによる締め付けから開放された段階にて、芯に対する前記押圧把持を開放する芯咬止チャック、該芯咬止チャックに対しノックによる前方への移動を伝達し、かつ芯咬止用バネによる後方への移動を伝達する継ぎ手を具備しているノック式シャープペンシルにおいて、締めリングの後方において、当該締めリングに対し当接及び離脱自在の状態にあり、外側のパイプ状の部材に内側から螺合し、かつ後方のダイヤルスリーブと一体を成して回転することによって、前後方向移動自在であるスライドスリーブを設け、該ダイヤルスリーブの外側周囲において、外側筒状部の隙間を介して手指と接触し得るダイヤルを有していることに基づく改良型ノック式シャープペンシル。
【請求項２】
スライドスリーブが外側筒状部と螺着していることを特徴とする請求項１記載の改良型ノック式シャープペンシル。
【請求項３】
ダイヤルが後方の振動防止バネによって押圧された状態であることを特徴とする請求項１記載の改良型ノック式シャープペンシル。
【請求項４】
外側筒状部と一体成形されるか、又は固着された状態にあり、かつスライドスリーブの外側周囲を形成し、先端の口金の後方に位置している内側筒状部を設け、スライドスリーブが該内側筒状部と螺合していることを特徴とする請求項１記載の改良型ノック式シャープペンシル。
【請求項５】
内側筒状部を先端金具を介してガイドパイプと接続した状態とし、かつ外側筒状部と回転自在に螺合することによって、前後方向に移動自在である先軸を設け、該先軸を、該内側筒状部、及び口金と接続した状態としたことを特徴とする請求項４記載の改良型ノック式シャープペンシル。
【請求項６】
口金又は先軸の内側面と螺合し、外側周囲において、外側筒状部の隙間を介して手指と接触し得る先端ダイヤルを有している前後方向移動自在である先端ダイヤルスリーブを設け、該先端ダイヤルスリーブが、前側の先端金具と一体形成するか、又は固着した状態にあることを特徴とする請求項５記載の改良型ノック式シャープペンシル。
【発明の詳細な説明】
【０００１】
【発明の属する技術分野】
本願は所謂ノック式シャープペンシルに改良に関するものである。
【０００２】
【従来の技術】
図４に示すように、ノック式シャープペンシルにおいては、芯１を押圧把持し、かつ芯１と一体となって移動し、前側における移動に伴って周囲の締めリング３による押圧から開放された段階にて、芯１に対する前記押圧把持を開放する芯咬止チャック２、該芯咬止チャック２に対しノック７からの前方への移動を選択し、かつスプリングによる後方への移動を伝達する継ぎ手２１を具備しており、これによって前方の移動は、ノック７→継ぎ手２１→芯咬止チャック２→芯１と伝達され、他方、芯咬止チャック２、継ぎ手２１、ノック７の後方への移動は、シャープペンシル本体内に設けられた芯咬止用バネ１２によって実現されている。
【０００３】
そして、芯１の先端における位置、即ちガイドパイプ９からの突出長さを適当に設定するためには、一方では芯１の先端に指を押し当て、他方では前記ノック７を前方向に押すことによって、芯咬止チャック２を締めリング３の周囲からの押圧から開放し、更には、芯１に対する該チャックの締め付けを開放することによって、一方の指先による保持の位置に先端の芯１を留めることが行われている。
【０００４】
しかしながら、図４に示すような従来技術の構成では、締めリング３が芯咬止チャック２と共に移動し得る先端及び後端はそれぞれ口金８の段差部分及び内側筒状部６１の先端部分によって確定しており、該前後方向間隔は固定された状態にある。
【０００５】
このように、締めリング３が移動し得る前後方向間隔が確定している場合にはノック７によって前進する芯１の距離も固定されており、ユーザーにおいては、前記のように指先によって芯１を留めなければ、先端のガイドパイプ９から突出し得る芯１の程度を微調整することができないという点において不都合である。
【０００６】
上記のような従来技術の不都合を克服するため、出願人は、既に先端側の口金の近傍において、口金又は外側筒状部と係合し、前後方向に移動自在な内側筒状部を設け、締めリングの先端の当接位置を調整する構成について、特願２００２−１０２０２８号において特許出願を行っている。
【０００７】
但し、上記構成には、口金の近傍において、手指によって操作を行う部位の幅が狭小とならざるを得ず、しかも、このような狭小な部位において手指を接触させながら、上記内側筒状部を移動させるための隙間などを設けることが、工作上煩雑とならざるを得ない。
【０００８】
【発明が解決しようとする課題】
本発明は、前記のような従来技術を克服し、比較的簡単な構成でありながら締めリングが移動し得る前後方向の間隔を調整自在とし、ひいては１ノック当たりの芯がガイドパイプの先端から突出し得る距離を調整自在とし得る構成を提供することを課題とするものである。
【０００９】
【課題を解決するための手段】
前記課題を解決するため、本発明の構成は、芯を押圧把持し、かつ芯と一体となって移動し、前側への移動に伴って周囲の締めリングによる締め付けから開放された段階にて、芯に対する前記押圧把持を開放する芯咬止チャック、該芯咬止チャックに対しノックによる前方への移動を伝達し、かつ芯咬止用バネによる後方への移動を伝達する継ぎ手を具備しているノック式シャープペンシルにおいて、締めリングの後方において、当該締めリングに対し当接及び離脱自在の状態にあり、外側のパイプ状の部材に内側から螺合し、かつ後方のダイヤルスリーブと一体を成して回転することによって、前後方向移動自在であるスライドスリーブを設け、該ダイヤルスリーブの外側周囲において、外側筒状部の隙間を介して手指と接触し得るダイヤルを有していることに基づく改良型ノック式シャープペンシルからなる。
【００１０】
【発明の実施の形態】
図１は、本発明の典型的な実施形態を示しているが、本発明は、締めリング３の後方に設けたスライドスリーブ４を、締めリング３に対し当接及び離脱自在としたうえで、前後方向に移動自在とし、芯咬止用バネ１２の反発力によって、ノック７が後退した際、芯咬止チャック２と共に後方に移動する締めリング３の移動距離を調整自在としている点に基本的特徴を有している。
【００１１】
スライドスリーブ４は、その外側周囲の一部又は全部をパイプ状の部材と螺合しており、後方のダイヤルスリーブ５と一体形成されるか、又は固着されている（図１の場合には、ネジによって螺着されている場合を示す。）。
【００１２】
図１では、スライドスリーブ４は、外側筒状部６２の内壁と螺合し、前後方向の移動を実現しているが、スライドスリーブ４の螺合の対象物は、外側筒状部６２の内壁に限定される訳ではなく、図２に示すように、外側筒状部６２と一体成形されるか、又は固着された状態にあり、かつスライドスリーブ４の外側周囲を形成し、先端の口金８の後方に位置している内側筒状部６１を設け、スライドスリーブ４が該内側筒状部６１の内側壁とする設計も当然可能である。
【００１３】
ダイヤルスリーブ５は、外側筒状部に設けた単数又は複数の隙間１１を介して、ユーザーの手指によって接触可能であるダイヤル５１を外側周囲にて有しており、手指によって伝達されたダイヤルスリーブ５の回転を介して、スライドスリーブ４も回転し、前記前後方向の移動を実現している。
【００１４】
本発明においても、ノック７を前方（先端側）に押圧した場合には、ノック７→継ぎ手２１→芯咬止チャック２の順序にて、前方への移動方向へ伝達され、芯咬止チャック２は締めリング３と共に移動し、締めリング３は所定の部材と衝突することによって、前進を中止した後において、芯１と共にノックされた距離だけ前進することになる。
【００１５】
そして、ノック７が芯咬止用バネ１２の弾発力によって後退する場合には、継ぎ手２１を介して芯咬止チャック２もまた締めリング３と共に後退し、締めリング３がスライドスリーブ４の先端部と当接して後退を停止した段階にて、芯咬止チャック２を中心方向に締めることになり、芯１を芯咬止チャック２によって固着している。
【００１６】
前記のようにスライドスリーブ４が前後方向に移動自在であるため、締めリング３の後端がスライドスリーブ４の後端に当接することによって、後退を停止する位置を順次調節することができ、これによって、１回のノックによって、先端における芯１の突出量を調整することになる（厳密には、ノックによって一旦突出し、その後部分的に後退する距離を調整することによって、最終的な芯の突出量を調整することになる。
【００１７】
本発明においても、必然的に芯咬止用バネ１２の存在は不可欠であり、図１、及び図２では、芯咬止用バネ１２の先端はスライドスリーブ４の後方と当接し、その後端は、芯タンクから突出した突起と当接しているが、芯咬止用バネ１２の当接部位は、このような設計に限定される訳ではなく、要するに、先端が固定した部材と当接し、後端が継ぎ手２１、芯タンクなどの移動し得る部材と当接するように設計すれば良い。
【００１８】
以下、実施例にしたがって説明する。
【００１９】
【実施例】
実施例においては、図３（ａ）に示すように、内側筒状部６１を先端金具１６を介してガイドパイプ９と接続した状態とし、該内側筒状部６１、及び口金８と接続した状態とし、かつ外側筒状部６２と回転自在に螺合することによって、前後方向に移動自在である先軸１４を設けている。
【００２０】
このような実施例において、先軸１４を回転した場合には、内側筒状部６１、及びこれと先端金具１６を介して接続されているガイドパイプ９は、前後方向に移動が可能となる（尚、スライドスリーブ４は内側筒状部６１に対し、移動自在の状態にて螺合しているために、上記回転に際し、前後方向に移動する訳ではない。）。
【００２１】
このような実施例においては、ガイドパイプ９の先端位置を調整できるので、例えば、ガイドスリーブの前後方向位置調整によって、芯１のガイドパイプ９からの突出量が過大である場合、又は過小である場合の何れにおいても、先軸１４の回転によって、ガイドパイプ９の前後位置を微調整することによって、上記過大又は過小の突出量を、適切な突出量に調整することができる。
【００２２】
図３（ｂ）の実施例は、図３（ａ）の実施例を更に変形し、先端のガイドパイプ９と一体形成するか、又は固着した状態にあり、かつ口金８又は先軸１４の内側面と螺合し、外側周囲において、外側筒状部６２の隙間１１を介して手指と接触し得る先端ダイヤルを有している前後方向移動自在である先端ダイヤルスリーブ１５を設けている。
【００２３】
このような図３（ｂ）の実施例では、先端ダイヤルスリーブ１５の回転によって、その後端が内側筒状部６１との距離を調節し、当該調節によって、内側筒状部６１と一体をなして前後移動を行うガイドパイプ９の突出する上限（限界）を調整することが可能となる。
【００２４】
このような調節によって、例えば芯１の突出を可能とするようなガイドパイプ９の過大な突出を防止することができる。
【００２５】
【発明の効果】
以上のような本発明においては、スライドスリーブを設けることによって、締めリングの後退量を調節し、ひいては芯のガイドパイプからの最終的な突出量をも調整することが可能であると共に、このようなスライドスリーブと一体を成して前後移動を行うダイヤルスリーブ及びダイヤルスリーブを介在させるダイヤルは、口金から相当距離だけ離れた部位に設定されているので、ユーザーは、操作がしやすく、しかも、ダイヤルスリーブ及びダイヤルスリーブを前後方向において適宜選択した部位において設けることができるので、製造に際し、口金、又はその近辺に設ける場合に比し、煩雑性を免れることができる。
【００２６】
更には、実施例のように、先軸を螺着している内側筒状部、及びこれと間接的に接続されているガイドパイプの前後方向位置を調整することによって、芯の突出量についても、更なる調整を行うことが可能となる。
【００２７】
このように、本発明は多面的な長所を有しており、その価値は絶大である。
【図面の簡単な説明】
【図１】本発明における基本原理を示す実施形態の側断面図
【図２】本発明において、内側筒状部を設けた実施形態の側断面図
【図３】本発明における実施例を示す片側断面図であって、（ａ）は先端ダイヤルスリーブを設けていない場合を示しており、（ｂ）は先端ダイヤルスリーブを設けた場合を示している。
【図４】従来技術による基本構成を示す側断面図
【符号の説明】
１  芯
２  芯咬止チャック
２１  継ぎ手
３  締めリング
４  スライドスリーブ
５  ダイヤルスリーブ
５１  ダイヤル
６１  内側筒状部
６２  外側筒状部
７  ノック
８  口金
９  ガイドパイプ
１０  ゴムパッキング
１１  隙間
１２  芯咬止用バネ
１３  振動防止バネ
１４  先軸
１５  先端ダイヤルスリーブ
１６  先端金具
【図１】
2004223820.tif 000003
【図２】
2004223820.tif 000004
【図３】
2004223820.tif 000005
【図４】
2004223820.tif 000006